(57)【要約】      （修正有）【課題】光ディスク装置のディスクモータプレートの耐衝撃性を向上させる。【解決手段】光ディスク装置は、筐体内に挿入された光ディスクＤを回転させるディスクモータ２と、光ディスクの半径方向に移動して光ディスクへの情報の記録または光ディスクからの情報の読取りを制御する光ピックアップと、ディスクモータ２及び光ピックアップを支持するベースであって筐体に直接挿入された光ディスクをディスクモータにチャッキングするよう支持するシャーシとを備える。ディスクモータをシャーシに固定するモータプレート４は、その光ピックアップ側でない側がシャーシに片持支持されるとともに、ディスクモータプレート４の光ピックアップ側には、ディスクモータプレート４の弾性変形を緩衝する突出部１０ａがボトムカバー１０に設けられる。【選択図】図３
2008123628.tif 000002
【特許請求の範囲】
【請求項１】
光ディスクに対して再生、又は、再生及び記録を行う光ディスク装置において、
前記光ディスクが挿入される筐体と、
前記筐体内に挿入された光ディスクを回転させるディスクモータと、
前記光ディスクの半径方向を移動して前記光ディスクへの情報の記録または前記光ディスクからの情報の読取りを制御する光ピックアップと、
前記ディスクモータ及び前記光ピックアップを支持するベースであって、前記筐体に挿入された光ディスクを前記ディスクモータにチャッキングするよう支持するベースと、
前記ディスクモータを前記ベースに固定するディスクモータプレートであって、その前記光ピックアップでない側が前記ディスクモータから前記ベースに向けたフランジ部を備え、このフランジ部が前記ベースに固定され、さらに、前記光ピックアップ側が前記ベースに対して固定されることなく構成されたディスクモータプレートと、
前記ディスクモータプレートの前記光ピックアップ側の弾性変形を緩衝する緩衝機構と、
を備える、光ディスク装置。
【請求項２】
前記緩衝機構は、前記ディスクモータプレートの前記光ピックアップ側が前記筐体の底面に対して成す投影面内に位置する、請求項１記載の光ディスク装置。
【請求項３】
前記緩衝機構は、前記筐体の底面を前記ディスクプレート側に絞り加工した突出部からなる、請求項２記載の光ディスク装置。
【請求項４】
前記光ディスクが前記ディスクモータにチャッキングされていない待機状態の際、前記ディスクモータプレートは前記筐体の底面に対して傾斜して前記ベースに固定され、前記突出部は前記傾斜に対応した傾斜形状を持って構成されてなる、請求項３記載の光ディスク装置。
【請求項５】
前記緩衝機構は、前記ディスクモータの前記光ピックアップ側が前記筐体の底面に対して成す投影面内に位置する、請求項１記載の光ディスク装置。
【請求項６】
前記緩衝機構は、前記筐体の底面と前記ディスクモータプレートとの間に設けられた弾性部材である、請求項１記載の光ディスク装置。
【請求項７】
前記光ディスクを前記筐体に挿入する方式がスロットイン方式とした、請求項１記載の光ディスク装置。
【請求項８】
前記筐体外面の上面と下面の間の距離は、９．５×１０-3ｍ以下である、請求項１記載の光ディスク装置。
【請求項９】
光ディスクに対して再生、又は、再生及び記録を行う光ディスク装置において、
前記光ディスクが挿入される筐体と、
前記筐体内に挿入された光ディスクを回転させるディスクモータと、
前記光ディスクの半径方向を移動して前記光ディスクへの情報の記録または前記光ディスクからの情報の読取りを制御する光ピックアップと、
前記ディスクモータを支持するベースであって、前記筐体に挿入された光ディスクを前記ディスクモータにチャッキングするよう支持するベースと、
前記ディスクモータを前記ベースに固定するディスクモータプレートと、
前記ディスクモータの前記筐体の底面に対する投影面内に位置し、前記ディスクモータプレートの弾性変形を緩衝する緩衝機構と、
を備える、光ディスク装置。
【発明の詳細な説明】
【技術分野】
【０００１】
本発明は光ディスク装置に関するものである。
【背景技術】
【０００２】
光ディスク装置は、光ディスクを回転駆動させるディスクモータと、光ディスクへの情報の記録または光ディスクからの情報の読取り制御を行う光ピックアップと、ユニットメカデッキと称される、ディスクモータを支持し、光ディスクをディスクモータにチャッキングするための機構と、を備えている。
【０００３】
このユニットメカデッキは、シャーシと、光ディスクをディスクモータにチャッキングし、又はこのチャッキングを解除するためにシャーシを昇降する昇降機構と、を備えている。光ディスクが光ディスク装置に挿入されると、シャーシ昇降機構がシャーシを光ディスクに対して押し上げて、光ディスクをディスクモータのクランパにチャッキングして光ディスクの再生及び記録を可能にしている。
【０００４】
光ディスクをユニットメカデッキまで運ぶ方式に、ディスクトレイ方式とスロットイン方式の２つのタイプがある。前者は、光ディスクをディスクトレイに上乗せしてディスクトレイごとディスク筐体にディスクを挿入するタイプである。後者は、光ディスクを光ディスク装置内にディスクトレイを用いずに直接挿入するタイプである。薄型であることが望まれる機器に対してスロットイン方式の光ディスク装置が採用されている。
【０００５】
この種の光ディスク装置には衝撃に対する対策が施されている。例えば、特開２００３−２８１８７６号公報に開示されているように、光ディスク回転駆動機構が設置されたシャーシの下面に突出形成された第１のストッパー、第２のストッパーを、光ディスク回転駆動機構が下降位置にあるときに底板に当接させるように構成することにより、ディスクトレイの排出状態においてシャーシが他の部品に干渉・衝突するのを防止したディスクトレイ方式の光ディスク装置が存在する。
【特許文献１】特開２００３−２８１８７６号公報
【発明の開示】
【発明が解決しようとする課題】
【０００６】
光ディスク装置では、ディスクモータはディスクモータプレートに固定され、このディスクモータプレートがユニットメカデッキのシャーシに固定されている。ディスクモータプレートをシャーシに固定する際、光ピックアップ側を避けて、ディスクモータプレートの光ピックアップとは反対側をシャーシに固定した片持支持構造とされている。
【０００７】
しかしながら、このような片持支持構造では、ディスクモータをシャーシに固定する際の剛性が十分でない。しかも、ノート型パソコンなどに対する薄型化の要求によりユニットメカデッキも薄型化され、ディスクモータプレートが固定されるユニットメカデッキ自体の剛性も低下せざるを得ない。
【０００８】
このような状況下、光ディスク装置に例えば落下などにより強い衝撃が加わると、ディスクモータプレートに片持支持部を中心にした衝撃モーメントが加わって、ディスクモータプレートがその衝撃に抗し切れずに弾性変形の後塑性変形するおそれがある。すると、ディスクモータの光ピックアップ対する平行度が悪化して、光ディスクに対する再生や記録に障害を来たすという問題がある。
【０００９】
既述の従来例は、ディスクトレイの排出状態においてシャーシが他の部品に干渉・衝突するもので、ディスクモータプレートの変形を抑制することまでの配慮はない。
【００１０】
本発明はこのような課題を解決するために、ディスクモータプレートの耐衝撃性を向上させた光ディスク装置を提供することを目的とするものである。
【課題を解決するための手段】
【００１１】
前記目的を達成するために、本発明は、光ディスクに対して再生、又は、再生及び記録を行う光ディスク装置において、前記光ディスクが挿入される筐体と、前記筐体内に挿入された光ディスクを回転させるディスクモータと、前記光ディスクの半径方向を移動して前記光ディスクへの情報の記録または前記光ディスクからの情報の読取りを制御する光ピックアップと、前記ディスクモータを支持するベースであって、前記筐体に挿入された光ディスクを前記ディスクモータにチャッキングするよう支持するベースと、前記ディスクモータを前記ベースに固定するディスクモータプレートと、前記ディスクモータの前記筐体の底面に対する投影面内に位置し、前記ディスクモータプレートの弾性変形を緩衝する緩衝機構と、を備えることを特徴とするものである。
【発明の効果】
【００１２】
以上説明したように、本発明によれば、ディスクモータプレートの耐衝撃性を向上させた光ディスク装置を提供することができる。
【発明を実施するための最良の形態】
【００１３】
（第１の実施の形態）
本発明の第１の実施の形態について説明する。図１は、光ディスクをディスクトレイによることなく直接筐体に挿入するスロットイン方式の光ディスク装置の平面図を示したものである。なお、以後、一例として、装置の全体厚さ寸法（筐体外面の上面と下面の間の距離）が９．５×１０-3ｍ以下とした光ディスク装置について説明する。また、光ディスク装置の内部構成を明瞭にするために、トップカバーの図示を省略している。
【００１４】
光ディスク装置１の筐体はトップカバーをボトムカバー１０に組み付けることによって構成されている。トップカバーとボトムカバーとを組み合わせた空間内に既述のユニットメカデッキなどの部品が収納されている。この部品は主としてボトムカバー１０に固定されている。
【００１５】
符号２は光ディスク（図示なし）を回転させるディスクモータ２である。このディスモータはボトムカバー１０のほぼ中心位置に存在する。ディスクモータ２上には、クランパ３がディスクモータ２に対して同心円状に配置されている。このクランパ３はディスクモータからトップカバー側に突出してなり、光ディスクの中心孔に嵌入されて光ディスクをディスクモータにチャッキングする。ディスクモータはディスク平面部２ａ上に光ディスクをディスクモータと一体回転可能に支持する。
【００１６】
光ピックアップ５００はスライダ５に固定されている。スライダ５は光ピックアップ５００を光ディスクの半径方向に沿って進退させる移動機構である。符号１２は略平行四辺形状のフレームからなるシャーシである。このシャーシ１２に後述するようにディスクモータ２とスライダ５とが固定されている。ディスクモータ２とスライダ５とシャーシ１２全体を既述のとおりユニットメカデッキと称する。
【００１７】
スライダ５の移動はねじ溝が形成されたリードスクリュー軸７１と、リードスクリュー軸のねじ溝に螺合するねじ溝を内側に持った小片５０２と、この小片に結合された小スライダ５０４によって達成される。小スライダ５０４の一端が前記スライダ５の一端に固定されている。モータ６０はリードスクリュー軸７１を回転させる。リードスクリュー軸７１の回転により小片５０２がリードスクリュー軸に沿って進退する。小片５０２を備える小スライダ５０４も同様であり、この小スライダ５０４に合わせてスライダ５も光ディスクの半径方向に進退移動する。符号７２，７３はスライダ５の往復動を案内する棒状のガイドである。リードスクリュー軸７１などのスライダ５の移動機構もシャーシ１２に固定されている。
【００１８】
レバー３１、３２、３３は、光ディスクが筐体の前面７から筐体内に挿入されるとき、及び、光ディスクが筐体から排出されるときに、この挿入及び排出のための、光ディスクに対する動力源となる。レバー３１は支点３１ａを中心にして回転する。ローラ４１、４２、４３は、挿入された光ディスクの外周に当接して光ディスクのセンタリングを行う。スイッチ５０は、モータ８０への駆動入力の供給をオン・オフする。伝達機構２１は、レバー３２にモータ８０の回転駆動力を伝達する。
【００１９】
このように構成された光ディスク装置１において、光ディスクが筐体の前面７から筐体内に直接挿入されると、光ディスクの外周にローラ４１、４２、４３が、ローラ４１、４２、４３の順で当接し、レバー３１、３２、３３を変位させながら、光ディスクのセンタリングを行い、光ディスクをディスクモータ２の回転軸と略同心となる位置に位置決めする。
【００２０】
このとき、ローラ４２は光ディスクの外周に押されてレバー３１を支点３１ａの周りに矢印Ｅの方向に回動させる。レバー３１の矢印Ｅ方向の回転角度が所定値に達するとスイッチ５０をオンする。伝達機構２１はギヤ列を備えて構成されている。また、ローラ４２は、レバー３１上に設けられている。
【００２１】
スイッチ５０がオンするとモータ８０が回転する。モータ８０が回転すると、その回転駆動力が、伝達機構２１によりレバー３２に伝達される。レバー３２は、伝達された力を昇降機構２２に伝える。シャーシ１２から昇降機構２２に向けて小軸が突出し、これが昇降機構の昇降部材に係合する。昇降機構の昇降部材は小軸を介してシャーシ１２を昇降させる。
【００２２】
昇降機構２２は光ディスクが筐体内の所定位置まで挿入された状態でシャーシの先端側５０６をシャーシの基端側５０８を基準にして上昇させる。シャーシの基端側は支点２５，２６においてボトムカバー１０に固定されている。この支点を基準にしてシャーシの先端側が基端側に対して傾動する。この結果シャーシ１２がボトムプレート１０に対して平行になり、クランパ３に光ディスクを係合する。
【００２３】
シャーシ１２のディスクモータ２近傍にある小径穴からピン６が直角に露出している。このピンは、シャーシ１２が昇降機構２２によってボトムプレート側１０に下降した際に光ディスクに弱当接して光ディスクをクランパ３から取り外す機能を果たすものである。
シャーシ１２が光ディスクに対して持ち上がると、シャーシに固定されているディスクモータ２のクランパ３が光ディスクの中心孔に挿入され始め、ディスク平面支持部２ａが光ディスクの中心孔周囲の平面部を押す状態となる。この状態からさらに、シャーシ１２の先端側５０６を上昇させると、光ディスクがトップカバーの凹に当接し、トップカバーとディスク平面支持部２ａに挟まれる形でほぼ完全にクランパ３にチャッキングされる。
【００２４】
図２は、光ディスクＤがシャーシ１２に固定されたディスクモータにチャッキングされた状態を示している。この状態では、光ピックアップ５００が光ディスクの記録面に臨んでいる。光ピックアップ５００を備えるスライダ５は、シャーシ１２の内側空間５１０(図３参照)を、光ディスクＤの記録面とボトムケース１０との間を光ディスクＤの径方向に沿って進退動する。図３は図２のＢ−Ｂ断面図であって、クランパ３に光ディスクＤがチャッキングされている状態を示している。符号４はディスクモータ２をシャーシ１２に固定するためのディスクモータプレートであり、符号１０ａは緩衝機構である突出部である。いずれも後ほど詳しく説明する。ディスクモータプレート４及びシャーシ１２も薄型の金属から構成されている。光ディスクをディスクモータにチャッキングする工程を終了すると、光ディスクをディスクモータ２が回転させて光ピックアップ５が光ディスクに対して情報の記録または情報の読取りを行なう。
【００２５】
図４は、ディスクモータ２と、ディスクモータ２をシャーシ１２に固定するためのディスクモータプレート４と、を示す斜視図である。ディスクモータプレート４は、ディスクモータ２のボトムプレート１０側の端部に固定されている。図５はディスクモータプレートの背面図である。ディスクモータプレート４の光ピックアップ５側（図５のＡ）がほぼディスクモータの径に等しい半円の形状からなり、光ピックアップ５とは反対側（図５のＢ）が非半円の形状になっている。図４に示すようにディスクモータプレートの非半円形領域（図５のＢ）は、ディスクモータ２の円形の外縁の稜線からせり出す第１のフランジ５２０と第２のフランジ５２２を備えている。これらフランジはねじ穴４ａ，４ｂ，４ｃを備えている。ディスモータプレート４のフランジをシャーシ１２の背面にあてがい、ねじ穴にねじを螺着することによって、ディスクモータプレートの非半円形領域(図５のＢ)をシャーシ１２に固定することができる。図１において、４ａ´はディスクモータプレートのねじ穴４ａに対するシャーシ１２に形成されたねじ穴であり、同様に４ｂ´はねじ穴４ｂに対応するねじ穴、同様に４ｃ´はねじ穴４ｂに対応するねじ穴である。これらねじ穴にねじが螺着されて既述のようにディスクモータプレート４をシャーシ１２に固定することができる。
【００２６】
図１に示すように、ねじ穴４ａ´とねじ穴４ｂ´は図示左側に互いにやや接近してシャーシに形成されている。一方、ねじ穴４ｃ´は図示左側にねじ穴４ａ´とねじ穴４ｂ´とは離間してシャーシに形成されている。このようにこれらねじ穴を均等にシャーシ１２に形成できないのは、ピン６を避けてねじ穴を形成しなくてはならないからである。
【００２７】
図４に示すように、ディスクモータプレート４はピックアップとは反対側(図５のＢ)がシャーシ１２に固定されており、ピックアップ側(図５のＡ)はシャーシに固定されることなく、ボトムプレート１０から浮いた状態となっている。したがって、既述のように、落下衝撃がディスクモータプレートに加わると、ディスクモータプレートの非固定側(図５のＡ）に、既述の４ａ，４ｂ、４ｃを支点にしたモーメントが加わり、ディスクモータの非固定側が塑性変形する恐れがある。
【００２８】
そもそも、図６に示すように、光ピックアップ５００が光ディスクの記録・再生面を広く利用できるようにするため、スライダ５がディスクモータ２の直前まで接近するようになっており、ディスモータプレート４のピックアップ５側に既述のフランジ(図４及び５参照)を設けることができない。図６に示すように、スライダ５のディスクモータ２への進行方向側の端部５ａはディスクモータ２の円形形状に即して環状に凹状を呈している。この環状凹部５ａに光ディスクモータ２の円周外縁が嵌入することにより、光ピックアップ５００をよりディスクモータ２に近づけることができる。
【００２９】
次に、既述の緩衝機構としての突出部(図２の１０ａ)について詳しく説明する。図７は既述のボトムカバー１０自体の平面図である。図８はそのＡ−Ａ断面図である。符号５３８はディスクモータ２のコイルを収容するための開口であり、１０ａが扇状にトップカバー側に突出する突出部である。この突出部はディスクモータ２及びディスクモータプレート４のボトムカバー１０に対する投影面内でディスクモータプレートの光ピックアップ側(図５のＡ)の領域に存在する。符号５３２は投影面の稜線である。
【００３０】
後述の図１０に示すように、突出部１０ａが無い場合、ディスクモータプレート４の下端面からボトムカバー１０までの距離がＨ１であるのに対して、突出部１０ａがあるとディスクモータプレート４の下端面から突出部までの距離がＨ２（Ｈ２＜Ｈ１）となる。
【００３１】
したがって、ディスクモータプレート４に衝撃が加わってディスクモータプレート４が弾性変形してもその変形量はＨ１からＨ２の範囲に低減され、ディスクモータプレート４が限界弾性変形可能点を越えて塑性変形することを避けることができる。なお、ディスクモータ２などが固定されたシャーシ１２をボトムカバーに組み付ける場合、設計や組み立て自由度をある程度確保するため、部品の交差を許容しなければならないために、どうしてもディスクモータプレート４とボトムプカバー１０との間にある程度の隙間の発生を許容せざるを得ない。ディスクモータプレート４が塑性変形しやすいのはシャーシ１２に固定されている近辺である。
【００３２】
図７及び図８の突出部１０ａはボトムカバーを金型に入れて加圧する絞り加工によって容易にボトムカバーに形成することができる。この突出部のサイズ、すなわち光ディスクの厚み方向の高さは、例えば、ボトムカバー１０とディスクモータプレート４との間が１ｍｍ程度とすると、突出部の厚みは０．５ｍｍから０．８ｍｍ程度である。そもそも突出部の厚みは、既述の製造設計上の自由度の観点と、ディスクモータプレートの弾性変形量低減のバランスの上で適宜設計されれば良い。
【００３３】
この突出部１０ａの形状は、平面視で扇形状として説明したが、これに限定されず、円形、矩形などであっても良い。また、ディスクモータプレートの円形領域(図５のＡ)の径がディスクモータより小さい場合には、突出部をディスクモータの投影面内に設けても良い。ディスクモータの傾きを抑えることによってディスクモータプレートの弾性変形量を少なくできるからである。
【００３４】
図９は、突出部の他の形態を説明するためのシャーシ１２の背面図である。図９は、ディスクモータプレート４がシャーシ１２の背面に片持支持されている状態を示している。既述のとおり、ディスクモータプレートをシャーシに固定するためのねじ孔４ａ，４ｂ，４ｃは均等に配置されていない。したがって、ディスクモータプレートのピックアップ側ではない領域(図５のＢ)における支持も十分でなく、その分ディスクモータプレートのピックアップ側の領域(図５のＡ)の弾性変形も大きくなる。そこで、突出部が設けられるべきボトムカバー上の位置（４ｄ）を工夫した。
【００３５】
すなわち、ディスクモータ２を支持するための３つのねじ孔４ａ、４ｂ、４ｃのうち、４ａと４ｃはディスクモータの回転中心を通る対角線上で対称な位置を占めている。したがって、４ａを中心とするディスクモータプレート４の変形と４ｃを中心とするディスクモータプレートの変形とは互いに打ち消しあう関係にある。一方、４ｂとディスクプレートの回転中心を通る対角線上にはねじ孔が設けられていない。そこで、対角線上のディスクモータプレートの投影面の境界領域の４ｄで示される位置に突出部を設けることとした。したがって、ディスクモータプレートが４ｂを中心に弾性変形しても突出部がこの弾性変形を緩衝することができる。
【００３６】
図１０及び図１１は突出部１０ａの機能を説明するためのユニットメカデッキの断面図である。図１０は光ディスクがディスクモータ２にチャッキングされていない待機状態を示す。この状態から図１１に示すようにユニットメカデッキに矢印で示すボトムカバー１０に直角な衝撃が加わると、シャーシの先端５０６は図１の昇降機構２２によって最下端位置に固定されて図１１に示すようにボトムカバー１０に対して傾斜しているため、この衝撃による応力は剛性がシャーシに比較して小さいディスクモータプレート４をディスクモータプレートとシャーシとの結合部を中心に回転させる回転モーメントとして一気に加わることになる。
しかしながら、突出部１０ａは弾性変形したディスクモータプレート４に図１１に示すように当接してディスクモータプレートのそれ以上の弾性変形を抑制する。
【００３７】
これに対して、この突出部が存在しないとディスクモータプレートが大きく弾性変形し、急激で過大な衝撃応力がディスクモータプレートに付加される状況下では、ディスクモータプレートが塑性変形してしまう。すると、図２のように光ピックアップに対して平行度良く光ディスクをディスクモータに固定することができなくなり、光ピックアップが光ディスクへ情報を書き込んだり、光ディスクから情報を読み出したりする制御動作に障害が出るなどの問題がある。このような衝撃は、光ディスクドライブを備えた機器を高い位置から硬い床面に落下させるような場合に頻発する。
【００３８】
（第２の実施の形態）
次に本発明の第２の実施の形態について説明する。この第２の実施の形態は、ボトムケース部材１０に形成する既述の突出部の断面の形状を既述の実施形態とは異なるようにしたことに特徴がある。図１２は、この第２の実施の形態のボトムカバー部材１０に形成された突出部１０ｂの形状を示す断面図である。図１２は、図７のＡ−Ａ断面図に相当するものである。
【００３９】
図１２に示すように、突出部１０ｂはボトムケース１０に対して傾斜して形成されている。図１２のθは突出部１０ｂの稜線の延長線(一点鎖線)とボトムケース１０の稜線(一点鎖線)とが成す角度である。すなわち、突出部１０ｂはこの角度θを持った傾斜面を備えている。
【００４０】
衝撃がシャーシに加わった際、ディスクモータプレートはシャーシとの結合部を中心にボトムケース側に撓む。この時、ディスクモータプレートはボトムプレートに対して突出部の傾斜面に当接する。突出部の傾斜面はディスクモータプレートの傾斜形態に合致するような傾斜形態に形成される。このようにすることにより、突出部１０ａの傾斜面のほぼ全体でディスクプレートを支えることができるので、ディスクモータプレートに対する衝撃緩衝効果を高めることができる。
【００４１】
（第３の実施の形態）
次に、本発明の第３の実施の形態について説明する。この第３の実施の形態は、緩衝機構を既述の突出部ではなく、弾性部材により実現したことを特徴とするものである。この弾性部材１０ｂは、例えば、図１３に示すように、ディスクモータプレート４のボトムカバー１０側に接着して設けられる。なお、この構成にかえて、ボトムカバー１０の底面に弾性部材１０ｂを接着するようにしてもよい。また、弾性部材１０ｂの材質としては、例えば、クッション、プラスティックプレート、ゴムダンパーが用いられる。
【００４２】
図１４及び図１５は、それぞれ弾性部材を説明する図である。図１４（ａ）は弾性部材１００の平面図を示しており、（ｂ）は（ａ）におけるＡ−Ａ断面図を示している。弾性部材１００は、（ａ）に示すように扇形状をしており、（ｂ）に示すように、図１２と同様に断面が三角形状を呈している。
【００４３】
図１４（ａ）は弾性部材１０１の平面図を示しており、（ｂ）は（ａ）にけるＢ−Ｂ断面図を示している。弾性部材１０１は、（ａ）に示すように平面は扇形状をしており、（ｂ）に示すように断面は矩形状となっている。
【００４４】
これら弾性部材１００、１０１の厚みを、十分な衝撃緩和作用を実現するために、ボトムカバー１０とディスクモータプレート４とのクリアランス（最も間隔が大きいところ）＋０．３ｍｍ程度とする。例えば、ボトムケース１０とディスクモータプレート４のクリアランスが０．９ｍｍの場合には、弾性部材１００、１０１の厚みは１．２ｍｍとする。弾性部材１００、１０１はディスクモータプレート４の弾性変形を柔軟に抑制することができる。
【００４５】
以上説明したように、第１乃至第３の実施の形態に記載された発明によれば、優れた耐衝撃性を有する光ディスク装置を提供することができる。
【００４６】
なお、既述の実施形態では、スロットイン方式の光ディスク装置について説明したが、本発明をトレイ方式の光ディスク装置に提供することもできる。また、既述の実施形態における説明では、光ディスク装置の全体厚さ寸法（筐体外面の上面と下面の間の距離）を９．５×１０-3ｍ以下であるとしたが、これは例示でありこれに限られることはない。その他、当業者が予想される変更を既述の実施形態に適用することも可能である。
【００４７】
以上説明した実施形態によれば、光ディスクを回転させるディスクモータの支持機構が衝撃などによって塑性変形して、光ディスクが光ピックアップに対して奏する平行度が損なわれないようにすることができる。
【図面の簡単な説明】
【００４８】
【図１】本発明の第１の実施の形態に係わる光ディスク装置の内部構成の平面図。
【図２】光ディスクが収容された状態を示す同実施の形態に係わる平面図。
【図３】図２のＢ−Ｂ断面図。
【図４】ディスクモータ及びディスクモータプレートを示す斜視図。
【図５】ディスクモータプレートの背面図。
【図６】光ピックアップがディスクモータにもっとも近づいた状態を示す、第１の実施形態の平面図。
【図７】光ディスク装置の筐体を成すボトムカバーの背面図。
【図８】図７のＡ−Ａ断面図。
【図９】ユニットメカデッキのシャーシの背面図。
【図１０】緩衝機構(突出部)の効果を示すための、ユニットメカデッキ及びボトムカバーの断面図。
【図１１】緩衝機構(突出部)の効果を示すための、ユニットメカデッキ及びボトムカバーの断面図。
【図１２】突出部の他の構成を示すボトムカバーの断面図。
【図１３】緩衝機構としての弾性部材の形態を示す、ユニットメカデッキの断面図。
【図１４】弾性部材の形態を示す平面図（ａ）、及びそのＡ−Ａ断面図。
【図１５】弾性部材のさらに他の形態を示す平面図（ａ）、及びそのＢ−Ｂ断面図。
【符号の説明】
【００４９】
１  光ディスク装置、２  ディスクモータ、３  クランパ部、４  ディスクモータプレート、５  光ピックアップ(スライダ)、１０  ボトムカバー部材、１０ａ，１０ｂ  突出部、１２  シャーシ、１００，１０１  弾性部材
【図１】
2008123628.tif 000003
【図２】
2008123628.tif 000004
【図３】
2008123628.tif 000005
【図４】
2008123628.tif 000006
【図５】
2008123628.tif 000007
【図６】
2008123628.tif 000008
【図７】
2008123628.tif 000009
【図８】
2008123628.tif 000010
【図９】
2008123628.tif 000011
【図１０】
2008123628.tif 000012
【図１１】
2008123628.tif 000013
【図１２】
2008123628.tif 000014
【図１３】
2008123628.tif 000015
【図１４】
2008123628.tif 000016
【図１５】
2008123628.tif 000017